(57)【特許請求の範囲】
【請求項１】
ＯＬＥＤ手段と、静電容量の変化を感知する静電容量近接性感知手段と、機械的要素と、信号を提供する手段と、を含むＯＬＥＤ装置であって、前記ＯＬＥＤ手段及び前記機械的要素は、ユーザによる動作により互いに対して可動であり、且つ、第１位置又は第２位置に位置し得、前記静電容量は、前記ＯＬＥＤ手段及び前記機械的要素がオペレータによる前記第１位置及び前記第２位置の間において動かされる場合に第１静電容量及び第２静電容量間で変化し、前記信号は前記静電容量に依存し、
前記ＯＬＥＤ手段は、前記機械的要素及び前記ＯＬＥＤ手段の間の相対的な動きを可能にするために、弾性要素によって前記機械的要素へ接続され、
前記弾性要素は、前記機械的要素からなる、ＯＬＥＤ装置。
【請求項２】
ＯＬＥＤ手段と、静電容量の変化を感知する静電容量近接性感知手段と、機械的要素と、信号を提供する手段と、を含むＯＬＥＤ装置であって、前記ＯＬＥＤ手段及び前記機械的要素は、ユーザによる動作により互いに対して可動であり、且つ、第１位置又は第２位置に位置し得、前記静電容量は、前記ＯＬＥＤ手段及び前記機械的要素がオペレータによる前記第１位置及び前記第２位置の間において動かされる場合に第１静電容量及び第２静電容量間で変化し、前記信号は前記静電容量に依存し、
前記ＯＬＥＤ手段は、前記機械的要素及び前記ＯＬＥＤ手段の間の相対的な動きを可能にするために、弾性要素によって前記機械的要素へ接続され、
前記弾性要素は、光を透過させる、ＯＬＥＤ装置。
【請求項３】
ＯＬＥＤ手段と、静電容量の変化を感知する静電容量近接性感知手段と、機械的要素と、信号を提供する手段と、を含むＯＬＥＤ装置であって、前記ＯＬＥＤ手段及び前記機械的要素は、ユーザによる動作により互いに対して可動であり、且つ、第１位置又は第２位置に位置し得、前記静電容量は、前記ＯＬＥＤ手段及び前記機械的要素がオペレータによる前記第１位置及び前記第２位置の間において動かされる場合に第１静電容量及び第２静電容量間で変化し、前記信号は前記静電容量に依存し、
前記機械的要素は、光を透過させる、ＯＬＥＤ装置。
【請求項４】
請求項１乃至３のいずれか一項に記載のＯＬＥＤ装置であって、前記ＯＬＥＤ手段は、触覚フィードバックを提供する、ＯＬＥＤ装置。
【請求項５】
請求項１乃至３のいずれか一項に記載のＯＬＥＤ装置であって、前記機械的要素は、触覚フィードバックを提供する、ＯＬＥＤ装置。
【請求項６】
請求項５に記載のＯＬＥＤ装置であって、前記機械的要素は、ボタン、スイッチ、又はドーム型ホイル構造のうちの１つである、ＯＬＥＤ装置。
【請求項７】
請求項１乃至６のいずれか一項に記載のＯＬＥＤ装置であって、前記信号は、前記第１及び第２位置間における遷移を示す、前記ＯＬＥＤ手段及び前記機械的要素が前記第１位置又は前記第２位置にあることを示す、及び、前記ＯＬＥＤ手段及び前記機械的要素が前記第１位置、前記第２位置、又は中間位置にあるかを示す、のいずれかのうちの１つであり、前記中間位置は、前記ＯＬＥＤ手段及び前記機械的要素が前記第１位置及び前記第２位置の間において動いている場合に仮定される、前記第１位置及び前記第２位置の中間の位置である、ＯＬＥＤ装置。
【請求項８】
請求項１乃至７のいずれか一項に記載のＯＬＥＤ装置であって、前記静電容量は、前記ＯＬＥＤ手段及び接地間において形成される、ＯＬＥＤ装置。
【請求項９】
請求項１乃至７のいずれか一項に記載のＯＬＥＤ装置であって、前記ＯＬＥＤ手段は、第１電極層、有機発光層、及び第２電極層から構成され、前記有機発光層は、前記第１電極層及び前記第２電極層の間にあり、前記機械的要素は、伝導性要素からなり、前記伝導性要素は、前記第１電極層又は前記第２電極層のうちの１つに隣接し、静電容量が前記第１電極層及び前記第２電極層のうちの１つ及び前記伝導性要素間に形成される、ＯＬＥＤ装置。
【請求項１０】
請求項３に記載のＯＬＥＤ装置であって、前記ＯＬＥＤ手段は、前記機械的要素及び前記ＯＬＥＤ手段の間の相対的な動きを可能にするために、弾性要素によって前記機械的要素へ接続される、ＯＬＥＤ装置。
【請求項１１】
請求項２又は１０に記載のＯＬＥＤ装置であって、前記弾性要素は、前記機械的要素からなる、ＯＬＥＤ装置。
【請求項１２】
請求項２又は１０に記載のＯＬＥＤ装置であって、前記弾性要素は、前記ＯＬＥＤ手段及び前記機械的要素の間にある、ＯＬＥＤ装置。
【請求項１３】
請求項２又は１０に記載のＯＬＥＤ装置であって、更に装着構造を含み、当該ＯＬＥＤ装置は、前記装着構造へ装着され、前記装着構造は、前部表面及び装着凹部からなり、前記機械的要素は、伝導性要素からなり、前記伝導性要素は、前記装着凹部内に装着され、前記ＯＬＥＤ手段は、前記弾性要素へ取付けられ、前記弾性要素は、前記装着構造へ取付けられ、前記ＯＬＥＤ手段は、前記前部表面と同一平面に装着される、又は、前部表面を越えて突出して装着される、ＯＬＥＤ装置。
【請求項１４】
請求項１０に記載のＯＬＥＤ装置であって、前記弾性要素は、光を透過させる、ＯＬＥＤ装置。
【発明の詳細な説明】
【技術分野】
【０００１】
本発明は、有機発光ダイオードに関し、特に、有機発光ダイオード及び静電容量近接性センサの一体化に関する。
【背景技術】
【０００２】
有機発光ダイオード（ＯＬＥＤ）装置は、２つの電極及び有機発光層から構成される。有機層は、2つの電極間に配置される。１つの電極は、アノードであり、他の電極はカソードである。有機層は、アノードがカソードに対して十分に正状態である電圧バイアスを有する場合に、空孔がアノードから注入される及び電子がカソードから注入されるような構造にされる。必要な電圧バイアスは、有機層に関して使用される材料に依存する。空孔及び電子は、有機層を含む分子において励起された状態を誘導させるために有機層内で再結合する。光は、励起分子がそれらの基底状態へ緩和する過程において発される。アノードは、通常、透明伝導性酸化物（ＴＣＯ）などの高い仕事関数材料から作製され、カソードは、通常、アルミニウム又は銀などの高反射材料から作製される。しかし、光にカソード、アノード又はカソード及びアノードの両方を抜け出させる多くの異なる電極設計が存在する。有機層は、単一の有機フィルムからなり得る、又は多重の有機フィルムのスタックからなり得る。ＯＬＥＤ装置は、指示器として有用であり、ディスプレイは、ＯＬＥＤ装置のパターン化されたアレイから構築され得る。
【０００３】
静電容量スイッチング装置は、静電容量の変化を感知することによって動作する。タッチセンサは、接地に対して電極の静電容量の変化を感知することによって動作する静電容量スイッチング装置である。これらの種類のセンサは、通常、オペレータの指の近接性によって生じられる静電容量の変化を感知する。静電容量スイッチング装置は、２つの伝導性オブジェクト間の静電容量又は静電容量の変化を感知することによっても機能し得る。
【０００４】
米国特許第7,242,393B2号は、組み合わされたＯＬＥＤ静電容量タッチセンサを開示し、そして別途、触覚フィードバックを提供する構成及び構造の使用を開示する。米国特許出願公報第2005/0088417A1号は、静電容量センサを使用する触覚タッチ感知システムを開示する。
【発明の概要】
【発明が解決しようとする課題】
【０００５】
本発明は、静電容量近接性感知手段を有する有機発光ダイオードダイオードを提供する。本発明の実施例は、従属項において与えられる。
【課題を解決するための手段】
【０００６】
２つの伝導体の互いに対する近接性は、静電容量近接性感知センサを用いて感知され得る。２つの伝導性オブジェクト間の静電容量は、オブジェクトが互いに近づけられるにつれ増加する。本文書において理解されるように静電容量近接性感知センサは、２つの伝導体間における静電容量の変化を測定又は検出することによって機能するセンサである。
【０００７】
現在のＯＬＥＤ装置は、触覚フィードバックを一体化していない。多くの応用例において、触覚フィードバック及び照明の制御の両方は望ましい。本発明の実施例において、ＯＬＥＤ装置の使用は、触覚フィードバックを提供するために、機械的要素と組み合わせて静電容量スイッチの一部として提供する。例えば、ＯＬＥＤの上部に置かれる柔軟性ドーム型ホイルが使用され得る。ドーム型ホイルを押圧することによって、ドーム型ホイルは、ＯＬＥＤガラス表面へスナップして戻る。この効果は、ユーザに対する触覚フィードバックを与える。同時に、ＯＬＥＤ表面と接地との間の有効静電容量は変化される。静電容量変化は、容易に、静電容量センサを用いて検出され得る。センサは、この静電容量に基づき信号を生成する出力部を有し得る。信号は、他の電極へ統合され得る、又は、制御システムの入力として使用され得る。このドーム型ホイル及びＯＬＥＤの組合せは、異なったパターン状ホイルが異なった様々な照明シンボルを表示するのに使用され得るような様々な応用例へ容易に適合され得る。この構成は、逆にされ得る、すなわち柔軟性及び触覚提供機械的支持構造は、ＯＬＥＤの下に配置され得る。ＯＬＥＤは、ＯＬＥＤを囲むエラストマフレームによって支持され得る。エラストマフレームは、支持を提供し、垂直の動きを可能にする。
【０００８】
本発明の実施例は、ＯＬＥＤ手段と、静電容量近接性感知手段と、機械的要素と、信号を提供する手段と、を提供する。ＯＬＥＤ手段は、オペレータに対する視覚的指示器を提供する。静電容量近接性感知手段は、装置が操作される場合を検出する手段を可能にする。機械的要素は、ＯＬＥＤ手段に対して可動である。組み合わされるＯＬＥＤ手段及び機械的要素は、互いに対して可動であり得、且つ、ユーザにより動かされ得る。信号を提供する手段は、本発明の実施例に従うと、制御システムにおいて含まれる能力又は電気回路の一部に埋め込まれるべき能力を提供する。ＯＬＥＤ手段と機械的要素の組合せは、非常に有利であるが、それは、この組合せが、触覚フィードバックを提供し、また静電容量タッチスクリーン技術を用いて様々な異なる種類のスイッチングの仕組みを提供するからである。可能な実施例は、プッシュボタン型スイッチ、トグルスイッチ、及びスライダである。
【０００９】
別の実施例において、ＯＬＥＤ手段は、触覚フィードバックをユーザへ提供するように適合される。このことは、スイッチが活性化された場合のインジケーションをユーザが有するという有利な点を有する。触覚フィードバックを追加することは、ユーザがどのくらい強く押圧するかを感知する制御を有する可能性を与える。
【００１０】
別の実施例において、機械的要素は、触覚フィードバックを提供するように適合される。静電容量スイッチタッチパネルは、一般的に、ユーザがいつボタンを押すか及びユーザがどのくらい強くスイッチを活性化させているかをユーザが決定するのを容易にするフィードバックを提供する機械的要素を与える、ユーザに対する何のフィードバックも有さない。機械的要素を組み込むことは、スイッチを活性化させる様々な手段をも可能にし、押しボタン、スイッチ、及びスライダは、いかにこのことを実施化され得るかの例である。
【００１１】
別の実施例において、信号は、様々な異なる手法で適合される。この信号は、第１及び第２位置間の遷移を示し得る。このことは、スイッチが２つの状態間においてトグルするプッシュボタンとして使用され得るという有利な点を有する。ＯＬＥＤ機能性も、トグルされ得る。この信号は、機械的要素が第１位置又は第２位置にあるかを示すようにも適合され得る。このことは、スイッチが２つの状態間で行き来することを制御するのに使用され得るという有利な点を有する。信号は、スイッチが第１位置にあるのか、第２位置にあるのか、又は中間位置にあるのかを示すようにも適合され得る。このことは、スイッチがオン又はオフすなわち２つの特定の位置のうちの１つを制御するように使用され得るだけでなく、スイッチは可変であり得る。スイッチは、例えば、ユーザが制御器又はＭＰ３プレーヤをどれだけ強く押すのかに依存するようなビデオゲームシステムなどにも使用され得る。例えば、本発明の実施例は、ＭＰ３プレーヤに組み込まれ得、この場合、早い早送り機能の速度は、人がボタンをどれだけ強く押すかによって制御される。
【００１２】
別の実施例において、静電容量は、ＯＬＥＤ装置及び接地間において形成される。このことは、機械的要素がユーザへフィードバックを提供し得るという有利な点を有する。通常のタッチパネルにおいて、ユーザは何の触覚フィードバックをも有さない。機械的要素は、タッチパネルの動きを、機械的要素をより強く押圧することによって、又はユーザが十分に近くなり、そして静電容量が変化し、スイッチが活性化される特定の距離だけ押すことによって、制御又は実際に制限する。
【００１３】
別の実施例において、ＯＬＥＤ手段は、第１電極層又は有機発光層及び第２電極層からなる。有機発光層は、第１電極層及び第２電極層の間にある。この実施例においても、機械的要素は、伝導性要素からなる。伝導性要素は、第１又は第２電極層のいずれかに隣接して位置される。この場合、静電容量は、伝導性要素及び伝導性要素が隣りに位置される電極層の間に形成される。ＯＬＥＤ手段及び機械的手段がユーザによって操作される場合、伝導性要素及び電極層の間の静電容量は変化し、このことは、静電容量センサによって検出され、スイッチング機能を制御するために使用される。このことは、極めて有利な構成であり、その理由は、接地がもはやタッチパネルに関して使用される電流経路の一部を形成しないからである。このことは、通常のスイッチよりも有利であるが、その理由は、大抵のスイッチは機械的であり、静電容量要素は疲労しないからである。
【００１４】
別の実施例において、ＯＬＥＤ装置は、弾性要素によって機械的要素へ接続される。弾性要素は、前記機械的要素及び前記ＯＬＥＤ手段の間の相対的な動きを可能にする。弾性要素の機能は、ＯＬＥＤ手段がユーザによって操作される前に元の位置にＯＬＥＤ手段及び機械的要素を戻すことである。このことは、プッシュボタン型スイッチの構成を可能にする有利な点を有する。弾性要素は、静電容量測定間における静電容量が、どのくらいの力がＯＬＥＤ手段及び機械的要素を操作するのに使用されるかの関数として変化することを可能にさせる。
【００１５】
別の実施例において、弾性要素は、機械的要素からなる。弾性要素は、機械的要素であり得る、又は弾性要素は、部分的に機械的要素からなり得る。このことは、ドーム型スイッチが本発明の実施例を実施化させるために使用され得るという有利な点を有する。クリック型スイッチは、本発明の実施例から構築され得る。クリック型スイッチは、２つの状態間において物理的に切り替わるスイッチである。クリック型スイッチは、通常、クリック音を発し、スイッチが２つの状態間で切り替わると触覚フィードバックを提供する。
【００１６】
別の実施例において、弾性要素は、前記ＯＬＥＤ手段及び前記機械的要素の間にある。このことは、ユーザにスイッチが活性化された場合を感じさせる、又はどのくらい強く押されるかに応じて可変信号を提供するスイッチング装置の場合にはスイッチがどのくらい有効にされたかを感じさせる機械的要素が設計され得るので有利である。
【００１７】
本発明の実施例は、更に装着構造及びＯＬＥＤ装置からなる。前記装着構造は、前部表面及び装着凹部からなる。機械的要素は、装着凹部内に装着される伝導性要素からなる。前記ＯＬＥＤ手段は、前記弾性要素へ取付けられ、前記弾性要素は、前記装着構造へ直接取付けられる。ＯＬＥＤ手段の電極は、伝導性要素に隣接する。本質的に、ＯＬＥＤ手段は、弾性要素に埋め込まれる。このことは、スイッチに大きなダイナミックレンジ及び動きを提供するという有利な点を有する。このことは、更に、光を透過させるように適合される弾性要素が、ＯＬＥＤ手段からのエッジ光を利用するように使用され得るという有利な点を有する。ＯＬＥＤは、エッジ部から光を発し、この光は、弾性要素を通じて透過され得、そしてユーザがパネルにおいて光を見ることが可能になる容易に方向付けられる。
【００１８】
別の実施例において、弾性要素は、光を透過させるように適合される。このことは、弾性要素が、特にＯＬＥＤ手段を取り囲む場合又はＯＬＥＤ手段がＯＬＥＤ装置に埋め込まれる場合に、ＯＬＥＤ装置からのエッジ光によって照らされ得る。
【００１９】
本発明の別の実施例において、機械的要素は、光を透過させるように適合される。このことは、背後から照らされるスイッチが構築され得るという有利な点を有する。ＯＬＥＤは、機械的要素を通じて光を透過させ、この光は、ユーザに見え得る。
【００２０】
別の実施例において、ＯＬＥＤ装置は、パターン化にもされ得る。このことは、装飾パターンが適用され得るという有利な点を有し、そして、また、本発明のスイッチ及びボタンにラベル付けが適用され得るという有利な点も有する。
【００２１】
本発明の以下の好ましい実施例は、図面を参照にして、及び、例として、説明される。
【図面の簡単な説明】
【００２２】
【図１】図１は、ＯＬＥＤ装置及び伝導性要素間における静電容量を測定することによって静電容量スイッチが機能する、本発明の実施例を示す機能的図である。
【図２】図２は、接地及びＯＬＥＤ手段間における静電容量が測定される、本発明の実施例を示す機能的図である。
【図３】図３は、ＯＬＥＤ手段が弾性要素によって支持される、本発明の実施例の図を示す。
【図４】図４は、ＯＬＥＤ手段がドーム型スイッチによって支持される、本発明の実施例の図を示す。
【図５】図５は、ＯＬＥＤ手段が弾性要素に埋め込まれる、本発明の実施例の図を示す。
【図６】図６は、変形可能ドーム型ホイルが触覚フィードバックを提供する、本発明の実施例の図を示す。
【発明を実施するための形態】
【００２３】
図面における同様な参照符号は、同一の要素である、又は、同一の機能を実行する。前述された要素は、機能が同一である場合、その後の図面において必ずしも説明されない。
【００２４】
図１は、ＯＬＥＤ手段１０２及び伝導性要素１１６間における静電容量を測定することによって機能するＯＬＥＤ装置１００の実施例を示す機能的図である。ＯＬＥＤ手段は、アノード１０４、カソード１０６、有機発光層１０８、及び基板１１４からなる。ＯＬＥＤ手段は、電圧源１１０を設けることによって活性化される。ＯＬＥＤ手段が活性化される場合、光１１２が有機層１０８から発される。カソード１０６は、この実施例において、直流電源１１０の負極へ結合され、アノードは、直流電源１１０の正極へ接続される。静電容量センサ１１８は、伝導性要素１１６へ、及び、この実施例において、カソード１０６へ接続される。
【００２５】
オペレータ１２２の指は、ＯＬＥＤ手段１０２を操作する。オペレータ１２２の指がＯＬＥＤ手段１０２を押圧するにつれ、伝導性要素１１６及びカソード１０６の間の距離１６４は、変化する。距離１６４が変化し、伝導性要素１１６及びカソード１０６の間に形成される静電容量も変化する。静電容量のこの変化は、静電容量センサ１１８によって検出される。静電容量センサは、この場合、制御システムへ一体化される、又は静電容量センサ出力１２０において他の電子機器へ統合される。本発明の実施例に依存して、このことは、様々な形態を取り得、デジタル信号であり得、アナログ信号であり得、又は、電子回路の簡単な出力であり得る。
【００２６】
代替的な実施例において、伝導性要素は、ＯＬＥＤ手段１０２の代わりに操作される。別の代替的な実施例において、静電容量は、伝導性要素１１６及びアノード１０４間にも形成され得る。アノードは、通常、光学的に透明な酸化物である、インジウム・スズ・酸化物（ＩＴＯ）から構築される。このことは、光がアノード層を通じて抜け出ることを可能にさせる。しかし、電極のいずれ化又は両方が、ＯＬＥＤ装置において光学的に透明であり得る。電極のいずれか又は両方及び伝導性要素の間の静電容量が使用され得る。
【００２７】
図２は、ＯＬＥＤ装置２００のある実施例を示す機能概略図であり、この場合、接地及びＯＬＥＤ手段の間の静電容量が感知される。この図において、ＯＬＥＤ手段１０２は、同様に、アノード１０４、カソード１０６及び有機発光層１０８から構築される。同様に、カソード１０６は、直流電圧１１０の負極入力へ結合され、アノードは、直流電源１１０の正極入力へ接続される。この実施例において、静電容量は、ユーザ１２８の指１２２及びＯＬＥＤ手段１０２のアノード１０４間に形成される。指１２２及びアノード１０４の間の距離が変化するにつれて、アノード１０４及び指１２２の間の静電容量は、変化する。この場合、オペレータ１２２の体を通じて接地１４０への伝導経路１３６が存在する。この静電容量は、静電容量１３８によって表される。この実施例は、リーク電流を測定することによって作用し、リーク電流は１３２として表される。指１２２とカソード１０６との間の距離１３０が変化するにつれて、このリーク電流は変化し、静電容量センサ１１８によって検出され得る。通常、交流信号がセンサ１１８の表面に生じられ得ることになり、リーク電流１３２は測定される。この静電容量センサは、直接接地１４０へ接続される、又は、大抵の場合、いずれかの手法で接地と容量的に結合され得る。このことは、静電容量１４２として表される。静電容量が変化するにつれて、このことは、静電容量センサ出力１２０を用いて示される。同様に、この出力は、デジタル信号であり得る、アナログ信号であり得る、又は、単に電子回路へ直接一体化され得る。この実施例において、機械的要素１２６は、オペレータ１２２の指の動きを制限する。触覚フィードバックは、機械的要素１２６によって提供される。この実施例は、変形される表面を示すが、機械的要素は、スライダ又は他の要素でもあり得る。静電容量センサ１１８は、他の手段を用いても実施化され得る。
【００２８】
図３は、ＯＬＥＤ装置３００の実施例の図を示し、この場合、ＯＬＥＤ手段１０２は弾性要素によって支持される。この図において、基板１１４は、アノード１０４と接触している。アノードの他の表面には、有機発光層１０８があり、有機発光層１０８の他の側においてカソード１０６がある。２つの電極が、電圧供給系、すなわちＯＬＥＤ電源リード１４６へ接続される。ＯＬＥＤ手段１０２は、シール部において箱入れされる。ＯＬＥＤ手段は、水分に敏感であり、シール部は、ＯＬＥＤ手段を封止し、ＯＬＥＤ手段の寿命を延長させるためにＯＬＥＤ手段において存在する。基板１１４の側部において、ＯＬＥＤフレーム１４４が位置される。ＯＬＥＤ手段１０２全体は、弾性要素１５０に装着される。弾性要素は、ＯＬＥＤ手段及び伝導性要素１１６間に装着される。静電容量１２４は、伝導性要素１１６及びＯＬＥＤ手段のカソード１０６間に形成される。弾性要素は、アノード１０４及び伝導性要素１１６間の距離を操作及び変化させる手段を提供する。伝導性要素１１６は、この実施例においてプリント回路基板１５２に装着され、この場合、プリント回路基板１５２は、装着構造１５４へ装着される。装着構造は、ケースであり得、スイッチはケースに装着され得る、又は、装着構造は制御パネルの一部であり得、スイッチは制御パネルへ一体化され得る。この実施例において、スイッチは、ユーザによって基板１１４を押圧することによって操作され、基板が押下されるにつれて、カソード１０６及び伝導性要素１１６間の距離は変化する。このことは、静電容量１２４を変化させる。これらの静電容量は、この場合、制御システムを制御するため又は電子回路を制御するため又はアナログ信号を提供するための静電容量センサ出力を生成するために、静電容量センサによって使用され得る。
【００２９】
図３において、ＯＬＥＤは、変形可能な支持体、例えば、発泡体などに配置される。１つのＯＬＥＤ電極とプリント回路基板における電極との静電容量変化が検出される。
【００３０】
図４は、ＯＬＥＤ装置４００の実施例の図を示し、この場合、ＯＬＥＤ手段は、ドーム型スイッチにおいて支持される。このことは、弾性要素の代わりに、弾性要素が伝導性要素１１６からなることを除いて、図３に示される実施例と非常に類似する。ドーム型スイッチが押下されるにつれて、ドーム型スイッチとカソード１０８の間の静電容量は、変化する。この場合、静電容量におけるこの変化は、静電容量センサ出力１２０を生成するために、静電容量センサによって使用される。これは、図３において示される実施例と同じ手法で使用される。図４は、発泡体が、クリックスイッチの構成を可能にするドーム型ホイルによって置換されることを除いて図３と同様である。
【００３１】
図５は、ＯＬＥＤ手段が弾性要素に埋め込まれるＯＬＥＤ装置５００の実施例の図を示す。この実施例は、更に、装着構造１５４及び装着凹部１６０からなる。伝導性要素１１６は、装着凹部１６０に装着されるプリント回路基板１５２に装着される。ＯＬＥＤ手段１０２は、この場合、弾性要素１５０によって装着凹部１６０へ直接装着される。この実施例において、ＯＬＥＤ手段１０２は、装着構造１５４の前部表面１５８と同一平面であるように示される。この実施例において、装着構造は、パネルであり得る、又は、スイッチに関するハウジングであり得る。弾性要素は、様々な材料から作製され得る。この実施例において、弾性要素は、光を透過させるように適合される材料から作製されるように示される。この場合、ＯＬＥＤ装置のエッジ光は、ＯＬＥＤ手段を通過し、弾性要素１５０へ進む。この場合、エッジ光１５６は、弾性手段１５０を通じて透過され、前部表面１５８から離れるように方向付けられる。このことは、エッジ光が無駄にされず、また、弾性要素１５０に関して使用される材料に依存して、光を散乱させる半透明材料又は色を用いるなど、様々な効果が達成され得るので、有利である。このような材料は、ＯＬＥＤ装置の周囲に異なる色エッジ照明効果を得るために使用される。
【００３２】
図５に示されるＯＬＥＤ装置５００の実施例において、シリコーンが弾性要素として使用され得る。ＯＬＥＤは、ＯＬＥＤを位置に固定し、ＯＬＥＤ手段の垂直的な動きを可能にするためにシリコーンに埋め込まれ得る。シリコーンの光学透明性は、シリコーンがＯＬＥＤのエッジ光をＯＬＥＤ装置の前部表面へ透過させるのを可能にさせる。加えて、弾性要素は、色付きのシリコーンを用いることによって色を変化させ得る。
【００３３】
図６は、柔軟性ドーム型ホイルが触覚フィードバックを提供するＯＬＥＤ装置６００の実施例を示す。この実施例において、ＯＬＥＤ手段１０２及びＯＬＥＤフレーム１４４は、プリント回路基板１５２に装着される。プリント回路基板は、装着構造１５４に装着される。柔軟性ドーム型ホイル１６２は、この場合、ＯＬＥＤ手段１０２の基板１１４の前に位置される。ドーム型ホイルの目的は、オペレータへ触覚フィードバックを提供することである。この実施例において、オペレータは、指１２２で柔軟性ドーム型ホイルを押下する。スイッチング手段を提供するために、アノード１０４及びオペレータ１２２の指の間の静電容量が検出される。この実施例は、図２に表される実施例と同一である。このことは、ＯＬＥＤ装置自体が動かないので、より望ましいスイッチ構造である。柔軟性ドーム型スイッチホイルは、ＯＬＥＤ装置の上部に位置される。ドーム型スイッチホイルは、二状態機械的装置として作用する。前述の力がドームへ印加されると、ホイルは、ただちに平らになり、ユーザへボタン押圧成功に関する信号を与える。指先及びＯＬＥＤ電極のうちの１つの間の距離のこの急激な変化は、静電容量測定によって電子的に検出され得る。ドーム型ホイル自体は、完全に透明である、又はプリントされたシンボルを有し部分的に透明であり得る。
【符号の説明】
【００３４】
100  ＯＬＥＤ装置及び伝導性要素の間の静電容量を感知するＯＬＥＤ装置
102  ＯＬＥＤ手段
104  アノード
106  カソード
108  有機発光層
110  電源
112  発光
114  基板
116  伝導性要素
118  静電容量センサ
120  静電容量センサ出力
122  指
124  ＯＬＥＤ電極及び伝導性要素の間の静電容量
126  機械的要素
128  オペレータ
130  アノード及び指の間の距離
132  リーク電流
134  アノード及び指の間の静電容量
136  オペレータの体を介する伝導
138  オペレータ及び接地の間の静電容量
140  接地
142  静電容量センサ及び接地の間の静電容量
144  ＯＬＥＤフレーム
146  ＯＬＥＤの電源リード
148  シール部材
150  弾性要素
152  プリント回路基板
154  装着構造
156  エッジ光
158  前部表面
160  装着凹部
162  ドーム型ホイル
164  カソード及び伝導性要素の間の距離
200  接地リーク電流を感知するＯＬＥＤ装置
300  弾性要素により支持されるＯＬＥＤ装置
400  ドーム型スイッチにより支持されるＯＬＥＤ装置
500  弾性要素に埋め込まれたＯＬＥＤ装置
600  変形可能ドーム型ホイルを有するＯＬＥＤ装置
【図１】
0005607630.tif 000002
【図２】
0005607630.tif 000003
【図３】
0005607630.tif 000004
【図４】
0005607630.tif 000005
【図５】
0005607630.tif 000006
【図６】
0005607630.tif 000007